(57)【要約】【課題】周囲に灰が飛散することなく、香炉における灰と、灰の中に焼け残っている線香や抹香等を自動的に分離することのできる香炉灰自動分離装置を提供する。【解決手段】本発明は、開閉可能な蓋を備え、香炉の灰を収容するボックス本体により構成される香炉灰自動分離装置であって、このボックス本体は、香炉の灰を入れる篩と、篩を装着して篩を振動させる振動部と、振動部に装着している篩の下方に位置する灰止め装置と、灰止め装置の下方に位置する灰容器を備えている。また、振動部の底板部分には、篩の保持孔の下部に、保持している篩の全体を覆う窄まり形状の囲い筒を連設している。さらに、灰止め装置は、所定の長さの筒状に形成され、筒状部分の内部に開閉用の回転板を有する。また、灰止め装置は、筒状部分の下部にフレキシブル管を連設している。【選択図】図２
2011041702.tif 000002
【特許請求の範囲】
【請求項１】
開閉可能な蓋を備え、香炉の灰を収容するボックス本体により構成される香炉灰自動分離装置であって、このボックス本体は、香炉の灰を入れる篩と、篩を装着して篩を振動させる振動部と、振動部に装着している篩の下方に位置する灰止め装置と、灰止め装置の下方に位置する灰容器を備えていることを特徴とする香炉灰自動分離装置。
【請求項２】
振動部は、箱状に形成され、底板部分に篩の保持孔を設けている請求項１に記載の香炉灰自動分離装置。
【請求項３】
振動部は、柔軟性のある側壁を有している請求項２に記載の香炉灰自動分離装置。
【請求項４】
振動部の底板部分には、篩の保持孔の下部に、保持している篩の全体を覆う窄まり形状の囲い筒を連設している請求項２または３に記載の香炉灰自動分離装置。
【請求項５】
灰止め装置は、所定の長さの筒状に形成され、筒状部分の内部に回転板を有する請求項１に記載の香炉灰自動分離装置。
【請求項６】
灰止め装置は、筒状部分の下部にフレキシブル管を連設している請求項５に記載の香炉灰自動分離装置。
【請求項７】
ボックス本体は、灰止め装置の下部に仕切り板を備え、この仕切り板は所定の開口部を有しており、灰止め装置のフレキシブル管の下端部が、仕切り板の開口部に接続している請求項１または請求項６に記載の香炉灰自動分離装置。
【請求項８】
灰容器は、箱状に形成され、仕切り板の下方に配置されている請求項１または請求項７に記載の香炉灰自動分離装置。
【請求項９】
ボックス本体は、メインスイッチと、蓋の開閉によりＯＮ／ＯＦＦする蓋側スイッチと、灰容器の収納・引き出しによりＯＮ／ＯＦＦする灰容器側スイッチを備えている請求項１または７に記載の香炉灰自動分離装置。
【発明の詳細な説明】
【技術分野】
【０００１】
本発明は、香炉における灰と、灰の中に焼け残っている線香や抹香等を自動的に分離することのできる、香炉灰自動分離装置に関するものである。
【背景技術】
【０００２】
永い歴史としきたりに依る仏教寺院および葬儀場等で使用される香炉は、一般的に香炉に灰を入れ、火のついている線香をさして線香を立てたり、また、線香を横に置いて使用するものである。
【０００３】
また、廻し香炉においては、火のついている香炭を灰の上に置き、抹香をつまんで、香炭の上に落とすようにして使用するものである。
【０００４】
そして、香炉を継続的に使用すると、香炉の灰の中に、焼け残っている線香や抹香等が溜まってくる。
【０００５】
例えば、火のついている線香を香炉の灰にさして立てたとき、灰の中に存在する線香の部分は、燃焼せずにそのまま残ってしまう。
【０００６】
また、抹香をつまんで、香炭から離れた所に抹香を落としたときにも、抹香が燃焼せずにそのまま残ってしまう。
【０００７】
その為、香炉をある程度使用したときには、香炉における灰の中から、焼け残っている線香や抹香等を取り除く作業を行う必要性が生じる。
【０００８】
このようなとき、香炉の灰は湿度に依って固まる性質があることから、これらを定期的に掃除する際には、適当な容器と、網の部分を有する笊や篩を用意し、容器に笊や篩を入れ、この笊や篩に香炉の灰と焼け残っている線香や抹香等を載せて揺することで、灰とその他の物を分離して選別していた。
【０００９】
具体的には、焼け残っている線香や抹香等を笊や篩に残し、灰だけを容器に入れていたのである。
【先行技術文献】
【特許文献】
【００１０】
【特許文献１】特になし
【発明の概要】
【発明が解決しようとする課題】
【００１１】
この様に、従来においては、容器に笊や篩を入れ、この笊や篩に香炉の灰と焼け残っている線香や抹香等を載せて揺することで、灰とその他の物を分離して選別していたが、この作業中に灰が空中に舞い上がり、作業を行っている者がこの舞い上がった灰を吸い込んでしまう事態が生じていた。
【００１２】
また、作業中に灰が空中に舞い上がり、作業を行っている者の服に灰が付着することもあった。
【００１３】
さらに、灰と焼け残っている線香や抹香等を分離して選別する作業を行うと、周辺に灰がこぼれて汚れるため、その場を何度も掃除しなければならなかった。
【００１４】
しかも、このような香炉が複数あるときには、何度も同じような分離・選別作業、清掃作業を繰り返し行う必要があった。
【００１５】
特に、大きな香炉を掃除する場合は、柄杓等を用いて、灰と焼け残っている線香や抹香等を笊に入れる作業を何度も繰り返す必要があった。
【００１６】
また、このような清掃作業は、風や雨の影響を受け易いことから、強風時や雨天時に作業が全くできなくなるという問題点を有していた。
【００１７】
そこで、本発明は如上のような従来存した諸事情に鑑み創出されたもので、周囲に灰が飛散することなく、香炉における灰と、灰の中に焼け残っている線香や抹香等を自動的に分離することのできる香炉灰自動分離装置を提供することを目的とする。
【課題を解決するための手段】
【００１８】
本発明は、開閉可能な蓋を備え、香炉の灰を収容するボックス本体により構成される香炉灰自動分離装置であって、このボックス本体は、香炉の灰を入れる篩と、篩を装着して篩を振動させる振動部と、振動部に装着している篩の下方に位置する灰止め装置と、灰止め装置の下方に位置する灰容器を備えていることで、上述した課題を解決した。
【００１９】
また、振動部は、箱状に形成され、底板部分に篩の保持孔を設けていることで、同じく上述した課題を解決した。
【００２０】
さらに、振動部は、柔軟性のある側壁を有していることで、同じく上述した課題を解決した。
【００２１】
また、振動部の底板部分には、篩の保持孔の下部に、保持している篩の全体を覆う窄まり形状の囲い筒を連設していることで、同じく上述した課題を解決した。
【００２２】
加えて、灰止め装置は、所定の長さの筒状に形成され、筒状部分の内部に回転板を有することで、同じく上述した課題を解決した。
【００２３】
また、灰止め装置は、筒状部分の下部にフレキシブル管を連設していることで、同じく上述した課題を解決した。
【００２４】
この他、ボックス本体は、灰止め装置の下部に仕切り板を備え、この仕切り板は所定の開口部を有しており、灰止め装置のフレキシブル管の下端部が、仕切り板の開口部に接続していることで、同じく上述した課題を解決した。
【００２５】
また、灰容器は、箱状に形成され、仕切り板の下方に配置されていることで、同じく上述した課題を解決した。
【００２６】
さらに、ボックス本体は、メインスイッチと、蓋の開閉によりＯＮ／ＯＦＦする蓋側スイッチと、灰容器の収納・引き出しによりＯＮ／ＯＦＦする灰容器側スイッチを備えていることで、同じく上述した課題を解決した。
【発明の効果】
【００２７】
本発明は、開閉可能な蓋を備え、香炉の灰を収容するボックス本体により構成される香炉灰自動分離装置であって、このボックス本体は、香炉の灰を入れる篩と、篩を装着して篩を振動させる振動部と、振動部に装着している篩の下方に位置する灰止め装置と、灰止め装置の下方に位置する灰容器を備えていることから、周囲に灰が飛散することなく、香炉における灰と、灰の中に焼け残っている線香や抹香等を自動的に分離することができる。
【００２８】
即ち、ボックス本体は、香炉の灰を入れる篩と、篩を装着して篩を振動させる振動部を備えていることから、香炉の灰と、灰の中に焼け残っている線香や抹香等を篩に入れ、振動部により篩を振動させて、香炉の灰と、灰の中に焼け残っている線香や抹香等を、篩にかけたような状態とする。
【００２９】
その為、灰の中に焼け残っている線香や抹香等を篩の上に残し、灰だけを篩から落下させることができる。
【００３０】
このとき、灰止め装置を開放した状態にしておくことにより、灰は灰止め装置を通過し、焼け残っている線香や抹香等が取り除かれている灰を、灰容器に溜めることができる。
【００３１】
この様にして、香炉における灰と、灰の中に焼け残っている線香や抹香等を自動的に分離することができるのである。
【００３２】
また、このような分離作業を、開閉可能な蓋を備えているボックス本体の内部で行うため、蓋を閉じることにより、作業中に灰が空中に舞い上がってしまう事態や、作業を行っている者がこの舞い上がった灰を吸い込んでしまう事態の発生を確実に阻止することができる。
【００３３】
また、作業を行っている者の服に灰が付着することもない。
【００３４】
さらに、周辺に灰がこぼれて汚れることがないことから、その場を何度も掃除する必要もない。
【００３５】
しかも、香炉が複数あるときでも、香炉における灰と、灰の中に焼け残っている線香や抹香等を、ボックス本体の内部において連続して分離することから、誰もが短時間の内に香炉の清掃作業を行うことができる。
【００３６】
また、香炉における灰と、灰の中に焼け残っている線香や抹香等を、ボックス本体の内部において自動的に分離することから、風や雨の影響を受けることがなく、強風時や雨天時であっても、香炉の清掃作業を行うことができる。
【００３７】
尚、必要に応じて、灰止め装置を閉鎖した状態にしておくことで、灰止め装置内に灰を留めておくこともできる。
【００３８】
さらに、本発明は、開閉可能な蓋を備え、香炉の灰を収容するボックス本体により構成される香炉灰自動分離装置であって、このボックス本体は、香炉の灰を入れる篩と、篩を装着して篩を振動させる振動部と、振動部に装着している篩の下方に位置する灰止め装置と、灰止め装置の下方に位置する灰容器を備えており、全体の構成が比較的にシンプルであることから、大量生産に適しており、製品の製造コストを低く抑えることができる。
【００３９】
また、振動部は、箱状に形成され、底板部分に篩の保持孔を設けていることから、所定の大きさの篩を保持孔に装着して、底板部分に篩を確実に保持することができる。さらに、振動部が箱状に形成されているため、焼け残っている線香や抹香等が存在する灰が振動部の底板部分に入れられた時や、灰を篩に入れて振動部により篩を振動させている時に、振動部の外側に灰が飛散することがない。
【００４０】
加えて、振動部は、柔軟性のある側壁を有していることから、篩を装着して保持している底板部分を充分に振動させることができる。また、振動板が振動している時に、その振動がボックス本体に伝達されてしまう事態の発生を阻止することができる。
【００４１】
また、振動部の底板部分には、篩の保持孔の下部に、保持している篩の全体を覆う窄まり形状の囲い筒を連設していることから、灰を篩に入れて振動部により篩を振動させている時に、篩から落下した灰が囲い筒の外側に飛散することがなく、灰の全てが、囲い筒における下側の開口部に向けて集められ、灰止め装置に送られる。
【００４２】
そして、灰止め装置は、所定の長さの筒状に形成され、筒状部分の内部に回転板を有することから、ボックス本体の蓋を開けている時や、ボックス本体から灰容器を引き出している時等に、回転板により灰止め装置を閉鎖した状態にしておくことで、灰止め装置内に灰を留めておくことができる。
【００４３】
また、灰止め装置は、筒状部分の下部にフレキシブル管を連設していることから、振動部による振動をフレキシブル管により効率良く吸収することができる。その為、ボックス本体全体の振動も抑制される。
【００４４】
その結果、灰がボックス本体の内部に飛散することがなく、ボックス本体の内部において、綺麗な状態を常に維持することができる。さらに、フレキシブル管には、灰の吸い込み効果も生じることから、灰を効率良く集めることができる。
【００４５】
この他、ボックス本体は、灰止め装置の下部に仕切り板を備え、この仕切り板は所定の開口部を有しており、灰止め装置のフレキシブル管の下端部が、仕切り板の開口部に接続していることから、集めた灰の全てを、仕切り板の開口部に送り込むことができる。
【００４６】
また、ボックス本体の内部は、仕切り板により区切られていることから、フレキシブル管の周囲に誤って灰が落下してしまった場合であっても、これらの灰は仕切り板の上に留められ、ボックス本体の外側に飛散することはない。
【００４７】
さらに、灰容器は、箱状に形成され、仕切り板の下方に配置されていることから、灰止め装置のフレキシブル管を介して仕切り板の開口部に送り込まれた灰の全てを、そのまま灰容器に溜めることができる。
【００４８】
その結果、焼け残った線香や抹香等が取り除かれている綺麗な灰を灰容器から取り出し、香炉や廻し香炉に充填することにより、香炉や廻し香炉を再使用することができる。
【００４９】
また、ボックス本体は、メインスイッチと、蓋の開閉によりＯＮ／ＯＦＦする蓋側スイッチと、灰容器の収納・引き出しによりＯＮ／ＯＦＦする灰容器側スイッチを備えていることから、掃除する灰をボックス本体の中に入れてメインスイッチをＯＮにしても、ボックス本体の蓋が開いていたり、また、ボックス本体から灰容器が引き出されている場合には、振動部が作動せず、灰の不用意な飛散を防止することができる。
【図面の簡単な説明】
【００５０】
【図１】香炉灰自動分離装置の全体の構成を示す斜視図である。
【図２】香炉灰自動分離装置の全体の構成を示す縦断面図である。
【図３】香炉灰自動分離装置の構成の一部を示す分解斜視図である。
【図４】蓋を開けている状態の香炉灰自動分離装置の構成を示す斜視図である。
【図５】蓋を開けている状態の香炉灰自動分離装置の構成を示す縦断面図である。
【図６】蓋を開け且つ灰容器を引き出している状態の香炉灰自動分離装置の構成を示す縦断面図である。
【図７】蓋を開けている状態の香炉灰自動分離装置を、正面方向から見た一部破線で示す斜視図である。
【図８】振動装置とメインスイッチと灰容器側スイッチと蓋側スイッチの、電気的な接続状態の一例を示す回路図である。
【図９】蓋を閉じている状態の香炉灰自動分離装置を、正面方向から見た縦断面図である。
【発明を実施するための形態】
【００５１】
以下に、本発明を実施するための形態を、図面を参照して説明する。
【００５２】
本発明に係る香炉灰自動分離装置は、図１・図２に示すように、四角形の箱状に形成されたボックス本体１により構成されている。このボックス本体１は、香炉の灰を収容するもので、下面の四隅にキャスター２を取り付けて、自在に移動できるように形成されている。
【００５３】
また、ボックス本体１の内部には、図２・図３に示すように、香炉の灰を入れる篩３と、篩３を装着して篩３を振動させる振動部４と、振動部４に装着している篩３の下方に位置する灰止め装置５と、灰止め装置５の下方に位置する灰容器６を備えている。
【００５４】
このボックス本体１における上部の開口部には、図１に示すように、一端側に幅狭の方形状に形成された固定板７が取り付けられている。固定板７には、メインスイッチ８と、電源用コードの巻き取り用操作ボタン９が設けられている。また、固定板７には、複数のヒンジ部１０を介して、幅広の方形状に形成された蓋１１が取り付けられている。この蓋１１により、ボックス本体１における開口部の他端側が開閉自在となっている。
【００５５】
さらに、ボックス本体１の蓋１１には、方形状の覗き窓１２が設けられている。この覗き窓１２は、香炉の灰を入れた篩３を装着している振動部４の状態を、ボックス本体１の外側から観察するためのものである。また、蓋１１の開口側の端部（ヒンジ部１０と反対側の端部）には、開閉時に使用する取手１３が設けられている。加えて、蓋７における下面の周縁（ヒンジ部１０が存在する縁部分を除く）には、図４・図５に示すように、閉塞時にボックス本体１における開口部の内縁に密着する桟１４を突設している。
【００５６】
そして、ボックス本体１の内部には、図２・図３・図４に示すように、振動部４が配置されている。この振動部４は、ボックス本体１の上部分（蓋１１の下部分）に位置している。
【００５７】
この振動部４は、図３に示すように、方形状の底板部分１５と、底板部分１５の外周縁から上方に向けて延設した側壁１６により、全体が箱状に形成されている。また、側壁１６は、柔軟性のある素材を用いて形成されている。さらに、底板部分１５の外周縁部分も柔軟性のある素材を用いて形成されていると、より好ましいものとなる。
【００５８】
振動部４の底板部分１５には、図３に示すように、篩３の保持孔１７が設けられている。篩３の保持孔１７は、全体が下方に向けて窄まるように傾斜しているテーパ状に形成されている。
【００５９】
一方、香炉の灰を入れる篩３は、図３に示すように、複数の小孔を有する略半球形状の籠部分１８と、籠部分１８の開口側に設けている縁部分１９により形成されている。この縁部分１９は、全体が下方に向けて窄まるように傾斜しているテーパ状に形成されている。
【００６０】
そして、図２・図３に示すように、振動部４の底板部分１５における保持孔１７に、篩３の縁部分１９を上方から宛がうようにして、振動部４の底板部分１５に篩３を装着するのである。このとき、篩３の籠部分１８は、振動部４の底板部分１５から下方に向けて突出したような状態となっている。
【００６１】
また、振動部４の底板部分１５には、図２・図３に示すように、篩３の保持孔１７の下部に、囲い筒２０を連設している。この囲い筒２０は、振動部４の底板部分１５から下方に向けて突出したような状態で装着されている篩３の籠部分１８の全体を覆うもので、全体が下方に向けて窄まるように形成されている。また、囲い筒２０は、その下端部に灰の排出孔２１を有している。
【００６２】
さらに、振動部４における底板部分１５の下面には、図２に示すように、囲い筒２０に隣接するように、所定の振動装置２２が取り付けられている。
【００６３】
このように構成された振動部４は、図７に示すように、ボックス本体１における両側壁の内側に固定した２本のレール部分２３に支持されて、ボックス本体１に着脱自在に取り付けられている。
【００６４】
２本のレール部分２３は、いずれも水平板部材と垂設板部材により側面から見て内向きの略Ｌ字状に形成されている。そして、振動部４における底板部分１５の外周縁部分と側壁１６の下端部分を、２本のレール部分２３における水平板部材の上に載せて、振動部４を下方から支持しているのである。
【００６５】
尚、ボックス本体１への振動部４の取付手段は、図７に示すものに限定されることはない。
【００６６】
例えば、図９に示すように、振動部４における側壁１６の外周に突条４１を設ける一方、ボックス本体１の内壁面に、断面が内向きの凹形となる溝部材４２をを設け、振動部４の突条４１をボックス本体１の溝部材４２に係合させて、振動部４をボックス本体１に取り付けても良い。
【００６７】
振動部４に装着している篩３の下方に位置する灰止め装置５は、図２・図３に示すように、所定の長さの筒状に形成され、この筒状部分２４の内部に、回転板２５を有している。また、灰止め装置５は、筒状部分２４の下部に、所定の長さのフレキシブル管２６を連設している。
【００６８】
灰止め装置５における筒状部分２４の上端部は、図２・図３に示すように、振動部４の囲い筒２０における灰の排出孔２１の周囲に固定されている。また、ボックス本体１は、灰止め装置５の下部に、ボックス本体１を閉鎖するように仕切り板２７を備えている。この仕切り板２７は、灰止め装置５の下方部分に、所定の開口部２８を有している。そして、灰止め装置５におけるフレキシブル管の下端部は、ボックス本体１を閉鎖する仕切り板２７の開口部２８に接続している。
【００６９】
灰止め装置５の回転板２５は、筒状部分２４の内部に配置されており、図２・図５に示すように、回転板２５の回転により、筒状部分２４の内部を開放したり、閉鎖するものである。
【００７０】
この回転板２５は、図３に示すように、筒状部分２４の内部において、所定のシャフト２９を介して、回転可能に配置されている。また、筒状部分２４の内部には、図５に示すように、回転板２５が筒状部分２４の内部を閉鎖する位置まで回転した際に、回転板２５を係止するために、筒状部分２４の内部に所定の突出片３０を設けている。
【００７１】
シャフト２９は、その一端側部分が筒状部分２４の内部に進入した状態で、筒状部分２４に回転可能に支持されている。このシャフト２９の一端側部分が、回転板２５の直径方向に貫通した状態で、シャフト２９に回転板２５を固定しているのである。
【００７２】
シャフト２９の他端側部分は、図３に示すように、筒状部分２４の外側に突出している。このシャフト２９の他端側部分は、横棒部分と縦棒部分により、略逆Ｌ字状に形成されている。また、縦棒部分の先端には、球状の重り３１が取り付けられている。
【００７３】
そして、この重り３１により、シャフト２９の縦棒部分が垂直になるように規制されている。このように、シャフト２９の縦棒部分が垂直になっているとき、図２・図３に示すように、筒状部分２４の内部において回転板２５も垂直になり、筒状部分２４の内部を開放した状態となる。
【００７４】
また、シャフト２９の重り３１を持ち上げて、シャフト２９の縦棒部分が水平になっているとき、図５に示すように、筒状部分２４の内部において回転板２５も水平になり、筒状部分２４の内部を閉鎖した状態となる。
【００７５】
このように、シャフト２９の重り３１により、回転板２５は筒状部分２４の内部を開放するように規制されている。また、シャフト２９の重り３１を持ち上げて、シャフト２９の縦棒部分が水平になったとき、回転板２５は筒状部分２４の内部を閉鎖するのである。
【００７６】
そして、シャフト２９の重り３１には、図２・図５に示すように、所定のワイヤー３２の一端が固定され、ワイヤー３２の他端は、ボックス本体１の蓋１１に固定されている。このとき、ワイヤー３２の他端は、振動部４における底板部分１５に設けた所定の孔３３を通って、蓋１１のヒンジ部１０近傍の下面に固定されている。
【００７７】
このように、シャフト２９の重り３１は、ワイヤー３２を介して蓋１１に接続した状態になっていることから、図５に示すように、ボックス本体１の蓋１１を開けた時、上方に引っ張られるワイヤー３２を介して重り３１が持ち上げられて、シャフト２９の縦棒部分が水平になり、回転板２５が筒状部分２４の内部を閉鎖するのである。
【００７８】
また、ボックス本体１の蓋１１を閉めた時、図２に示すように、重り３１の作用により、ワイヤー３２が引き降ろされてシャフト２９の縦棒部分が垂直になり、回転板２５が筒状部分２４の内部を開放するのである。
【００７９】
この他、灰止め装置５において、筒状部分２４の下部に連設しているフレキシブル管２６は、柔軟な素材を用いて蛇腹構造に形成され、所定の振動を充分に吸収できるようになっている。
【００８０】
その為、振動部４の振動に伴い、灰止め装置５の筒状部分２４も同様に振動することとなるが、その振動をフレキシブル管２６により効率良く吸収して、ボックス本体１全体の振動を抑制している。また、フレキシブル管２６は、難燃性の素材を用いて形成すると、耐火性に優れたより好ましいものとなる。
【００８１】
ボックス本体１における仕切り板２７の下方には、図２に示すように、灰容器６を配置している。
【００８２】
灰容器６は、灰止め装置５のフレキシブル管２６を通って、仕切り板２７の開口部２８から落ちてくる灰を収容するもので、方形状の底板部分と、底板部分の外周縁から上方に向けて延設した側壁により、全体が箱状に形成されている。
【００８３】
この灰容器６は、図１に示すように、その前面側の中央に、取手３４を設けている。また、灰容器６の前面側の端部には、ボックス本体１における灰容器６の収納状態を維持するための止め金具３５を備えている。そして、この止め金具３５を外して、図６に示すように、ボックス本体１の前面に設けた所定の開口部を介して、灰容器６をボックス本体１の外側に引き出すことが可能である。
【００８４】
灰容器６において、前面側を除いた側壁の外周には、図３に示すように、突条３６を設けている。この突条３６は、灰容器６の側壁の外周において、その全体が略Ｕ形となるように配置されている。これに対応して、灰容器６が収容される部分のボックス本体１の内壁面には、図７に示すように、断面が内向きの凹形となる溝部材３７が取り付けられている。この溝部材３７も、ボックス本体１の内壁面において、その全体が略Ｕ形となるように配置されている。
【００８５】
そして、灰容器６における左右の側壁に配置されている両突条３６が、ボックス本体１における左右の内壁面に配置されている両溝部材３７に係合し、灰容器６は、図６に示すように、ボックス本体１の両溝部材３７に沿って前後方向にスライド移動できるようにしている。
【００８６】
また、図１・図４に示すように、ボックス本体１に灰容器６を押し込んだ時には、図２・図５に示すように、灰容器６の後面側の側壁に配置されている突条３６が、ボックス本体１における後面側の内壁面に配置されている溝部材３７に係合する。
【００８７】
さらに、図５・図７に示すように、灰容器２８の底板部分における後面側の下面には、左右の突起３８を下向きに設けている。これに対応して、ボックス本体１の底板部分における中間位置の内面にも、左右の突起３９を上向きに設けている。
【００８８】
その為、図６に示すように、ボックス本体１から灰容器６を引き出した際に、
灰容器６の突条３６がボックス本体１の突起３９に当接して、灰容器６がボックス本体１から抜け落ちないようにしている。
【００８９】
尚、灰容器６の全体をボックス本体１から引き出したい場合には、両突起３８，３９を除去すれば良い。
【００９０】
この他、ボックス本体１は、図６に示すように、ボックス本体１に対する灰容器６の収納や引き出しによりＯＮ／ＯＦＦする、灰容器側スイッチ４０を備えている。
【００９１】
すなわち、ボックス本体１の後面側の内壁面には、灰容器６の後面側の側壁に対向するように、灰容器側スイッチ４０が設けられている。そして、灰容器６が押し込まれてボックス本体１の奥まで収納された際には、図２に示すように、灰容器６の後面側の側壁が灰容器側スイッチ４０に接触して、これをＯＮ状態にするようにしている。
【００９２】
また、図８に示すように、ボックス本体１の蓋１１には、これを開閉させることによりＯＮ／ＯＦＦする蓋側スイッチ５０が設けられており、当該蓋側スイッチ５０と、メインスイッチ８と、灰容器側スイッチ４０は、振動部４における振動装置２２の電源に対して直列に接続されている。
【００９３】
一方、振動部４における振動装置２２自体には、所定の時間が経過したときにメインスイッチ８のＯＮ状態をＯＦＦ状態にする、自動停止タイマー６０を設けている。
【００９４】
次に、以上のように構成された香炉灰自動分離装置について、使用・動作の一例について説明する。
【００９５】
先ず、図４に示すように、ボックス本体１の蓋１１を開けて、振動部４の保持孔１７に装着されている篩３の中に、掃除する灰を入れる。
【００９６】
このとき、灰止め装置５においては、蓋１１により上方に引っ張られるワイヤー３２を介して重り３１が持ち上げられて、シャフト２９の縦棒部分が水平になり、回転板２５が筒状部分２４の内部を閉鎖している。その為、掃除する灰を篩３の中に入れた際、篩３の籠部分１８を通過してしまった灰は、灰止め装置５の筒状部分２４の内部に留められる。
【００９７】
また、ボックス本体１の下方においては、灰容器６が収納され、止め金具３５により、ボックス本体１への灰容器２８の収納状態をロックしている。このとき、図２に示すように、灰容器６の後面側の側壁が灰容器側スイッチ４０に接触して、灰容器側スイッチ４０がＯＮ状態となっている。
【００９８】
この状態で、図１に示すようにボックス本体１の蓋１１を閉めると、灰止め装置５においては、図２に示すように、重り３１の作用により、ワイヤー３２が引き降ろされてシャフト２９の縦棒部分が垂直になり、回転板２５が筒状部分２４の内部を開放している。
【００９９】
そして、メインスイッチ８をＯＮにすると、振動装置２２が作動して、振動部４が篩３を振動させる。このとき、篩３においては、香炉の灰と、灰の中に焼け残っている線香や抹香等を、篩にかけたような状態となる。その為、灰の中に焼け残っている線香や抹香等を篩３の上に残し、灰だけを篩３から落下させるのである。
【０１００】
篩３から落下した綺麗な灰は、囲い筒２０の排出孔２１を通過して灰止め装置５に送られる。この灰止め装置５においては、筒状部分２４の内部が開放されているため、灰はフレキシブル管２６に送られる。
【０１０１】
この灰は、ボックス本体１における仕切り板２７の開口部２８を通過して、灰容器６内に落とされる。
【０１０２】
このとき、振動部４による振動は、フレキシブル管２６により吸収され、下方に位置しているボックス本体１の仕切り板２７や、灰容器６への振動の伝達が抑えられている。しかも、振動部４自体も、柔軟性のある側壁１１を有していることから、ボックス本体１の構成全体への振動の伝達も抑えられている。
【０１０３】
覗き窓５を覗いて、灰の掃除が済んだことを確認できたときは、メインスイッチ８をＯＦＦにし、ボックス本体１の蓋１１を開ける。そして、振動部４の保持孔１７に装着されている篩３を取り外して、焼け残っている線香や抹香等を回収する。
【０１０４】
最後に、止め金具３５を外して、図６に示すように、灰容器６をボックス本体１から引き出し、灰容器６に溜まっている綺麗な灰を取り出して、再度、利用する。
【０１０５】
尚、灰の掃除中に、蓋１１を開けたり、また、灰容器６をボックス本体１から引き出したりすると、メインスイッチ８がＯＮ状態となっていても、振動装置２２の作動が停止する。
【０１０６】
また、灰の掃除中に、所定の時間が経過したときには、自動停止タイマー６０により、メインスイッチ８が自動的にＯＦＦ状態となる。
【０１０７】
尚、本発明は、前記した実施の形態に限定されるものではなく、本発明の目的を達成できる範囲での改良・変形等は、本発明に全て包含されるものである。
【産業上の利用可能性】
【０１０８】
本発明に係る香炉灰自動分離装置は、香炉における灰と、灰の中に焼け残っている線香や抹香等を自動的に分離できること以外に、種々の燃え滓と灰とを自動的に分離する装置として、幅広く利用することができる。
【符号の説明】
【０１０９】
１…ボックス本体
２…キャスター
３…篩
４…振動部
５…灰止め装置
６…灰容器
７…固定板
８…メインスイッチ
９…電源用コードの巻き取り用操作ボタン９
１０…ヒンジ部
１１…蓋
１２…覗き窓
１３…取手
１４…桟
１５…底板部分
１６…側壁
１７…保持孔
１８…籠部分
１９…縁部分
２０…囲い筒
２１…排出孔
２２…振動装置
２３…レール部分
２４…筒状部分
２５…回転板
２６…フレキシブル管
２７…仕切り板
２８…開口部
２９…シャフト
３０…突出片
３１…重り
３２…ワイヤー
３３…孔
３４…取手
３５…止め金具
３６…突条
３７…溝部材
３８…突起
３９…突起
４０…灰容器側スイッチ
４１…突条
４２…溝部材
５０…蓋側スイッチ
６０…自動停止タイマー
【図１】
2011041702.tif 000003
【図２】
2011041702.tif 000004
【図３】
2011041702.tif 000005
【図４】
2011041702.tif 000006
【図５】
2011041702.tif 000007
【図６】
2011041702.tif 000008
【図７】
2011041702.tif 000009
【図８】
2011041702.tif 000010
【図９】
2011041702.tif 000011